【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
座部の前部に足部をマッサージする足部マッサージ部を備えたマッサージ機であって、足部マッサージ部にエアーポンプを搭載し、エアーポンプを足部マッサージ部の幅方向の中央部に配置して成ることを特徴とするマッサージ機。
【請求項２】
座部の前部に足部をマッサージする足部マッサージ部を備えたマッサージ機であって、足部マッサージ部に足部マッサージ用のエアーバッグ及びエアーバッグにエアーを供給するエアーポンプを搭載し、エアーポンプを足部マッサージ部の幅方向の中央部に配置して成ることを特徴とするマッサージ機。
【請求項３】
エアーバッグは、両足部を収めた状態で両足先が広がる形態にして成ることを特徴とする請求項１又は２記載のマッサージ機。
【請求項４】
エアーバッグは、前後方向に対する角度を調整可能にして成ることを特徴とする請求項１乃至３のいずれかの項に記載のマッサージ機。
【請求項５】
エアーポンプの振動を利用して振動マッサージをおこなうように構成して成ることを特徴とする請求項１又は２記載のマッサージ機。
【請求項６】
座部に対して足部マッサージ部を回動自在に枢支連結するとともにエアーポンプとこれを収納するケースとの間に防振手段を設けて成ることを特徴とする請求項１又は２記載のマッサージ機。
【請求項７】
足部マッサージ部は、足首部を載置する部分が載置した足首部をふくらはぎ側に逃がす形状にして成ることを特徴とする請求項１又は２記載のマッサージ機。
【手続補正２】
【補正対象書類名】明細書
【補正対象項目名】０００７
【補正方法】変更
【補正の内容】
【０００７】
【課題を解決するための手段】
請求項１においては、座部１の前部に足部をマッサージする足部マッサージ部４を備えたマッサージ機であって、足部マッサージ部４にエアーポンプ５を搭載し、エアーポンプ５を足部マッサージ部４の幅方向の中央部に配置していることを特徴とするものである。このような構成によれば、座部１の下部空間を開放することができ、外観を高めることができ、中央部に配置したエアーポンプ５の両側に両足部（ふくらはぎ部）を収めてマッサージするエアーバッグ３を配置することができ、足部マッサージ部４のスペースを有効利用することができ、エアーポンプ５が邪魔になることがない。
【手続補正３】
【補正対象書類名】明細書
【補正対象項目名】０００８
【補正方法】変更
【補正の内容】
【０００８】
請求項２においては、座部１の前部に足部をマッサージする足部マッサージ部４を備えたマッサージ機であって、足部マッサージ部４に足部マッサージ用のエアーバッグ３及びエアーバッグ３にエアーを供給するエアーポンプ５を搭載し、エアーポンプ５を足部マッサージ部４の幅方向の中央部に配置していることを特徴とするものである。このような構成によれば、座部１の下部空間を開放することができ、外観を高めることができ、しかも、エアーバッグ３及びエアーポンプ５を足部マッサージ部４に搭載することから、エアーバッグ３によってふくらはぎ部をマッサージする場合に、足部マッサージ部４において内部配管がおこなえ、エアー配管を短くし、エアー配管を外部に出さなくてもよく、足部マッサージ部４、座部１及び背凭れ部２の動きによってエアー配管を折曲したり、伸縮させることがなく、エアー配管を損傷することがない。更に、中央部に配置したエアーポンプ５の両側に両足部（ふくらはぎ部）を収めてマッサージするエアーバッグ３を配置することができ、足部マッサージ部４のスペースを有効利用することができ、エアーポンプ５が邪魔になることがない。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項３においては、エアーバッグ３は、両足部を収めた状態で両足先が広がる形態にしているから、エアーバッグ３に収めた両足部を広げることができて自然体で足を伸ばすことができ、使いやすい。


【手続補正６】
【補正対象書類名】明細書
【補正対象項目名】００１１
【補正方法】変更
【補正の内容】
【００１１】
請求項４においては、エアーバッグ３は、前後方向に対する角度θを調整可能にしていることを特徴とするものである。このような構成によれば、使用者の体型及び姿勢にかかわらず最適な状態でマッサージをすることができる。


【手続補正７】
【補正対象書類名】明細書
【補正対象項目名】００１２
【補正方法】変更
【補正の内容】
【００１２】
請求項５においては、エアーポンプ５の振動を利用して振動マッサージをおこなうことを特徴とするものである。このような構成によれば、エアーバッグ３によるマッサージとエアーポンプ５の振動を利用した振動マッサージをおこなうことができる。


【手続補正８】
【補正対象書類名】明細書
【補正対象項目名】００１３
【補正方法】変更
【補正の内容】
【００１３】
請求項６においては、座部１に対して足部マッサージ部４を回動自在に枢支連結するとともにエアーポンプ５とこれを収納するケース６との間に防振手段７を設けていることを特徴とするものである。このような構成によれば、座部１に対して足部マッサージ部４を多様な回動角度にして使用する場合においてもエアーポンプ５の振動を防止することができる。


【手続補正９】
【補正対象書類名】明細書
【補正対象項目名】００１４
【補正方法】変更
【補正の内容】
【００１４】
請求項７においては、足部マッサージ部４は、足首部を載置する部分が載置した足首部をふくらはぎ側に逃がす形状にしていることを特徴とするものである。このような構成によれば、足首部が足部マッサージ部４の構造フレームに当たることがなく、ふくらはぎ部をエアーバッグ３の底面にまで深く沈み込ませることができ、良好なエアーマッサージをおこなうことができる。


【手続補正１０】
【補正対象書類名】明細書
【補正対象項目名】００２８
【補正方法】変更
【補正の内容】
【００２８】
【発明の効果】
請求項１においては、座部の前部に足部をマッサージする足部マッサージ部を備えたマッサージ機であって、足部マッサージ部にエアーポンプを搭載し、エアーポンプを足部マッサージ部の幅方向の中央部に配置しているから、座部の下部空間を開放することができ、外観を高めることができ、中央部に配置したエアーポンプの両側に両足部（ふくらはぎ部）を収めてマッサージするエアーバッグを配置することができ、足部マッサージ部のスペースを有効利用することができ、エアーポンプが邪魔になることがない。
【手続補正１１】
【補正対象書類名】明細書
【補正対象項目名】００２９
【補正方法】変更
【補正の内容】
【００２９】
請求項２においては、座部の前部に足部をマッサージする足部マッサージ部を備えたマッサージ機であって、足部マッサージ部に足部マッサージ用のエアーバッグ及びエアーバッグにエアーを供給するエアーポンプを搭載し、エアーポンプを足部マッサージ部の幅方向の中央部に配置しているから、座部の下部空間を開放することができ、外観を高めることができ、しかも、エアーバッグ及びエアーポンプを足部マッサージ部に搭載することから、エアーバッグによってふくらはぎ部をマッサージする場合に、足部マッサージ部において内部配管がおこなえ、エアー配管を短くし、エアー配管を外部に出さなくてもよく、足部マッサージ部、座部及び背凭れ部の動きによってエアー配管を折曲したり、伸縮させることがなく、エアー配管を損傷することがないなどという利点がある。更に、中央部に配置したエアーポンプの両側に両足部（ふくらはぎ部）を収めてマッサージするエアーバッグを配置することができ、足部マッサージ部のスペースを有効利用することができ、エアーポンプが邪魔になることがない。
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】変更
【補正の内容】
【００３１】
請求項３においては、請求項１又は２の構成に加えて、エアーバッグは、両足部を収めた状態で両足先が広がる形態にしているから、請求項１又は２の効果に加えて、エアーバッグに収めた両足部を広げることができて自然体で足を伸ばすことができ、使いやすいという利点がある。


【手続補正１４】
【補正対象書類名】明細書
【補正対象項目名】００３２
【補正方法】変更
【補正の内容】
【００３２】
請求項４においては、請求項１乃至３のいずれかの項の構成に加えて、エアーバッグは、前後方向に対する角度を調整可能にしているから、請求項１乃至３のいずれかの項の効果に加えて、使用者の体型及び姿勢にかかわらず最適な状態でマッサージをすることができるという利点がある。


【手続補正１５】
【補正対象書類名】明細書
【補正対象項目名】００３３
【補正方法】変更
【補正の内容】
【００３３】
請求項５においては、請求項１又は２の構成に加えて、エアーポンプの振動を利用して振動マッサージをおこなうから、請求項１又は２の効果に加えて、エアーバッグによるマッサージとエアーポンプの振動を利用した振動マッサージをおこなうことができるという利点がある。


【手続補正１６】
【補正対象書類名】明細書
【補正対象項目名】００３４
【補正方法】変更
【補正の内容】
【００３４】
請求項６においては、請求項１又は２の構成に加えて、座部に対して足部マッサージ部を回動自在に枢支連結するとともにエアーポンプとこれを収納するケースとの間に防振手段を設けているから、請求項１又は２の効果に加えて、座部に対して足部マッサージ部を多様な回動角度にして使用する場合においてもエアーポンプの振動を防止することができるという利点がある。


【手続補正１７】
【補正対象書類名】明細書
【補正対象項目名】００３５
【補正方法】変更
【補正の内容】
【００３５】
請求項７においては、請求項１又は２の構成に加えて、足部マッサージ部は、足首部を載置する部分が載置した足首部をふくらはぎ側に逃がす形状にしているから、請求項１又は２の効果に加えて、足首部が足部マッサージ部の構造フレームに当たることがなく、ふくらはぎ部をエアーバッグの底面にまで深く沈み込ませることができ、良好なエアーマッサージをおこなうことができるという利点がある。